(57)【要約】【課題】  健康管理サービスシステムにおいて、健康管理対象者に手配する生体情報端末装置の準備、登録、設定といった、実運営に関するさまざまな処理を統括的に行うことの出来るシステム構成および手段を提供する。【解決手段】  健康管理対象者を健康管理サービスシステムに登録して健康管理対象者に必要な健康管理端末装置を選択した際、健康管理サービスシステムを管理する健康管理コンピュータ装置で健康管理端末装置を準備するために必要な手配処理と、準備された新たな健康管理端末装置を健康管理コンピュータ装置に対して登録する処理を行う。【選択図】  図１
2006227800.tif 000002
【特許請求の範囲】
【請求項１】
健康管理用コンピュータ装置から受信した制御情報に従って動作して、健康管理対象者の生体情報を収集する生体情報収集手段と、前記健康管理用コンピュータ装置から前記制御情報を受信し、前記生体情報収集手段が収集した前記生体情報を前記健康管理用コンピュータ装置へ送信するネットワーク通信手段とを有する健康管理用端末装置と、
前記健康管理対象者の個人情報と、前記健康管理対象者が使用する健康管理用端末装置の種類を示す健康管理用端末装置種類情報とを入力する入力手段と、前記入力手段により入力された前記健康管理対象者の個別情報と前記健康管理用端末装置種類情報とを前記健康管理用コンピュータ装置へ送信するネットワーク通信手段とを有する登録・閲覧用端末装置と、
前記健康管理用端末装置の固体情報、製造情報、在庫情報、資産情報、および種類にかかる情報を含む健康管理用端末装置製造管理情報を記憶する健康管理用端末装置製造管理情報記憶手段と、前記健康管理用コンピュータ装置からの要求を受けて、前記健康管理用端末装置製造管理情報を前記健康管理用コンピュータ装置へ送信するネットワーク通信手段とを有する健康管理用端末装置提供情報管理コンピュータ装置と、
前記健康管理用端末装置、前記登録・閲覧用端末装置、および前記健康管理用端末装置提供情報管理コンピュータ装置とデータ通信を行うネットワーク通信手段と、前記登録・閲覧用端末装置から受信した前記健康管理用端末装置種類情報に基づいて、前記健康管理用端末装置提供情報管理コンピュータ装置へ、前記健康管理用端末装置の健康管理用端末装置製造管理情報を要求する健康管理用端末装置製造管理情報要求手段と、前記健康管理用端末装置提供情報管理コンピュータから健康管理用端末装置製造管理情報を取得する健康管理用端末装置製造管理情報取得手段と、前記健康管理用端末装置製造管理情報取得手段で取得した前記健康管理用端末装置製造管理情報に基づいて、前記健康管理対象者が使用する健康管理用端末装置を決定する健康管理用端末装置決定手段と、前記健康管理用端末装置決定手段で決定した前記健康管理用端末装置の固体情報と、前記登録・閲覧用端末装置から受信した前記健康管理対象者の個別情報とを、健康管理対象者情報として登録する健康管理対象者登録手段と、前記健康管理用端末装置へ送信する前記健康管理用端末装置の制御情報を生成する健康管理用端末装置制御情報生成手段と、前記健康管理用端末装置の固体情報と前記健康管理対象者の個別情報とからなる前記健康管理対象者情報に、前記健康管理用制御情報生成手段で生成した前記制御情報を関連付けて記憶する健康管理対象者情報記憶手段と、前記健康管理用端末装置決定手段で決定した前記健康管理用端末装置を、前記健康管理対象者に対して手配する健康管理用端末装置手配手段とを有し、
前記健康管理対象者情報記憶手段は、前記健康管理用端末装置から送信される前記制御情報に従って動作した結果に係る情報を、前記制御情報および前記健康管理対象者情報とに関連付けて記憶し、健康管理用端末装置手配手段は、前記健康管理用端末装置決定手段で決定した前記健康管理用端末装置の前記健康管理用端末装置製造管理情報に基づいて、前記健康管理用端末装置の購入、および／もしく前記健康管理対象者への発送を、前記健康管理用端末装置提供情報管理コンピュータ装置に要求する、健康管理サービス提供者が所有する健康管理用コンピュータ装置と、
で構成された健康管理サービスシステム。
【請求項２】
前記健康管理用コンピュータ装置の前記健康管理用端末装置決定手段は、前記健康管理用端末装置製造管理情報に含まれる前記資産情報により、前記健康管理サービス提供者の資産である健康管理用端末装置が存在すると判明した場合、当該健康管理用端末装置を前記健康管理対象者が使用する健康管理用端末装置に決定する、請求項１に記載の健康管理サービスシステム。
【請求項３】
前記健康管理用コンピュータ装置の前記健康管理用端末装置決定手段は、前記健康管理用端末装置製造管理情報に含まれる前記資産情報により、前記健康管理サービス提供者の資産である健康管理用端末装置が存在しないと判明した場合で、且つ、前記健康管理用端末装置製造管理情報に含まれる前記在庫情報により、健康管理用端末装置の在庫が存在すると判明した場合、当該健康管理用端末装置を前記健康管理対象者が使用する健康管理用端末装置に決定する、請求項１に記載の健康管理サービスシステム。
【請求項４】
前記健康管理用コンピュータ装置の前記健康管理用端末装置決定手段は、前記健康管理用端末装置製造管理情報に含まれる前記資産情報により、前記健康管理サービス提供者の資産である健康管理用端末装置が存在しないと判明した場合で、且つ、前記健康管理用端末装置製造管理情報に含まれる前記在庫情報により、健康管理用端末装置の在庫が存在しないと判明した場合で、且つ、前記健康管理用端末装置製造管理情報に含まれる前記製造情報ににより、前記健康管理用端末装置の製造予定があると判明した場合、当該健康管理用端末装置を前記健康管理対象者が使用する健康管理用端末装置に決定する、請求項１に記載の健康管理サービスシステム。
【請求項５】
前記健康管理用コンピュータ装置はさらに、前記健康管理対象者情報記憶手段に記憶された情報を変更する健康管理用端末装置交換処理手段を有し、
前記健康管理用コンピュータ装置は、前記登録・閲覧用端末装置から前記健康管理用端末装置を別の健康管理用端末装置と交換する要求を受けた場合、前記健康管理用端末装置製造管理情報要求手段が前記別の健康管理用端末装置にかかる情報を前記健康管理用端末装置提供情報管理コンピュータ装置へ要求し、前記健康管理用端末装置製造管理情報取得手段が前記健康管理用端末装置提供情報管理コンピュータ装置から前記別の健康管理用端末装置の健康管理用端末装置製造管理情報を取得し、前記健康管理用端末装置決定手段が前記別の健康管理用端末装置の健康管理用端末装置製造管理情報に基づいて、健康管理対象者が使用する別の健康管理用端末装置を決定し、前記健康管理用端末装置交換処理手段が前記健康管理対象者情報記憶手段に記憶された前記健康管理用端末装置の固体情報を、前記健康管理用端末装置決定手段が決定した前記別の健康管理用端末装置の固体情報に変更する、請求項４に記載の健康管理サービスシステム。
【請求項６】
前記健康管理用コンピュータ装置の前記健康管理用端末装置交換処理手段は、前記健康管理用端末装置決定手段が決定した前記別の健康管理用端末装置のための制御情報を、前記健康管理対象者が所有する前記健康管理用端末装置の前記制御情報と同一とする、請求項５に記載の健康管理サービスシステム。
【請求項７】
前記健康管理用コンピュータ装置の健康管理用端末装置手配手段は、前記健康管理用端末装置決定手段が決定した前記別の健康管理用端末装置と、前記健康管理対象者が現在所有する前記健康管理用端末装置との交換処理を、前記健康管理用端末装置提供情報管理コンピュータ装置に要求する、請求項５に記載の健康管理サービスシステム。
【請求項８】
健康管理用コンピュータ装置から受信した制御情報に従って動作して、健康管理対象者の生体情報を収集する健康管理用端末装置、前記健康管理対象者の個別情報と前記健康管理対象者が使用する健康管理用端末装置の種類を示す健康管理用端末装置種類情報とを入力する登録・閲覧用端末装置、および前記健康管理用端末装置の固体情報、製造情報、在庫情報、資産情報、および種類にかかる情報を含む健康管理用端末装置製造管理情報を記憶する健康管理用端末装置提供情報管理コンピュータ装置と通信をする、健康管理用コンピュータ装置であって、
前記健康管理用端末装置、前記登録・閲覧用端末装置、および前記健康管理用端末装置提供情報管理コンピュータ装置とデータ通信を行うネットワーク通信手段と、前記登録・閲覧用端末装置から受信する前記健康管理用端末装置種類情報に基づいて、前記健康管理用端末装置提供情報管理コンピュータ装置へ、前記健康管理用端末装置の健康管理用端末装置製造管理情報を要求する健康管理用端末装置製造管理情報要求手段と、前記健康管理用端末装置提供情報管理コンピュータから健康管理用端末装置製造管理情報を取得する健康管理用端末装置製造管理情報取得手段と、前記健康管理用端末装置製造管理情報取得手段で取得した前記健康管理用端末装置製造管理情報に基づいて、前記健康管理対象者が使用する健康管理用端末装置を決定する健康管理用端末装置決定手段と、前記健康管理用端末装置決定手段で決定した前記健康管理用端末装置の固体情報と、前記登録・閲覧用端末装置から受信した前記健康管理対象者の個別情報とを、健康管理対象者情報として登録する健康管理対象者登録手段と、前記健康管理用端末装置へ送信する前記健康管理用端末装置の制御情報を生成する健康管理用端末装置制御情報生成手段と、前記健康管理用端末装置の固体情報と前記健康管理対象者の個別情報とからなる前記健康管理対象者情報に、前記健康管理用制御情報生成手段で生成した前記制御情報を関連付けて記憶する健康管理対象者情報記憶手段と、前記健康管理用端末装置決定手段で決定した前記健康管理用端末装置を、前記健康管理対象者に対して手配する健康管理用端末装置手配手段とを有し、
前記健康管理対象者情報記憶手段は、前記健康管理用端末装置から送信される前記制御情報に従って動作した結果に係る情報を、前記制御情報および前記健康管理対象者情報とに関連付けて記憶し、健康管理用端末装置手配手段は、前記健康管理用端末装置決定手段で決定した前記健康管理用端末装置の前記健康管理用端末装置製造管理情報に基づいて、前記健康管理用端末装置の購入、および／もしく前記健康管理対象者への発送を、前記健康管理用端末装置提供情報管理コンピュータ装置に要求する
健康管理サービス提供者が所有する健康管理用コンピュータ装置。
【請求項９】
前記健康管理用端末装置決定手段は、前記健康管理用端末装置製造管理情報に含まれる前記資産情報により、前記健康管理サービス提供者の資産である健康管理用端末装置が存在すると判明した場合、当該健康管理用端末装置を前記健康管理対象者が使用する健康管理用端末装置に決定する、請求項８に記載の健康管理用コンピュータ装置。
【請求項１０】
前記健康管理用端末装置決定手段は、前記健康管理用端末装置製造管理情報に含まれる前記資産情報により、前記健康管理サービス提供者の資産である健康管理用端末装置が存在しないと判明した場合で、且つ、前記健康管理用端末装置製造管理情報に含まれる前記在庫情報により、健康管理用端末装置の在庫が存在すると判明した場合、当該健康管理用端末装置を前記健康管理対象者が使用する健康管理用端末装置に決定する、請求項８に記載の健康管理用コンピュータ装置。
【請求項１１】
前記健康管理用端末装置決定手段は、前記健康管理用端末装置製造管理情報に含まれる前記資産情報により、前記健康管理サービス提供者の資産である健康管理用端末装置が存在しないと判明した場合で、且つ、前記健康管理用端末装置製造管理情報に含まれる前記在庫情報により、健康管理用端末装置の在庫が存在しないと判明した場合で、且つ、前記健康管理用端末装置製造管理情報に含まれる前記製造情報ににより、前記健康管理用端末装置の製造予定があると判明した場合、当該健康管理用端末装置を前記健康管理対象者が使用する健康管理用端末装置に決定する、請求項８に記載の健康管理用コンピュータ装置。
【請求項１２】
前記健康管理対象者情報記憶手段に記憶された情報を変更する健康管理用端末装置交換処理手段をさらに有し、
前記登録・閲覧用端末装置から前記健康管理用端末装置を別の健康管理用端末装置と交換する要求を受けた場合、前記健康管理用端末装置製造管理情報要求手段が前記別の健康管理用端末装置にかかる情報を前記健康管理用端末装置提供情報管理コンピュータ装置へ要求し、前記健康管理用端末装置製造管理情報取得手段が前記健康管理用端末装置提供情報管理コンピュータ装置から前記別の健康管理用端末装置の健康管理用端末装置製造管理情報を取得し、前記健康管理用端末装置決定手段が前記別の健康管理用端末装置の健康管理用端末装置製造管理情報に基づいて、健康管理対象者が使用する別の健康管理用端末装置を決定し、前記健康管理用端末装置交換処理手段が前記健康管理対象者情報記憶手段に記憶された前記健康管理用端末装置の固体情報を、前記健康管理用端末装置決定手段が決定した前記別の健康管理用端末装置の固体情報に変更する、請求項８に記載の健康管理用コンピュータ装置。
【請求項１３】
前記健康管理用端末装置交換処理手段は、前記健康管理用端末装置決定手段が決定した前記別の健康管理用端末装置のための制御情報を、前記健康管理対象者が所有する前記健康管理用端末装置の前記制御情報と同一とする、請求項１２に記載の健康管理用コンピュータ装置。
【請求項１４】
健康管理用端末装置手配手段は、前記健康管理用端末装置決定手段が決定した前記別の健康管理用端末装置と、前記健康管理対象者が現在所有する前記健康管理用端末装置との交換処理を、前記健康管理用端末装置提供情報管理コンピュータ装置に要求する、請求項１２に記載の健康管理用コンピュータ装置。
【請求項１５】
健康管理用コンピュータ装置から受信した制御情報に従って動作して、健康管理対象者の生体情報を収集する健康管理用端末装置、前記健康管理対象者の個別情報と前記健康管理対象者が使用する健康管理用端末装置の種類を示す健康管理用端末装置種類情報とを入力する登録・閲覧用端末装置、および前記健康管理用端末装置の固体情報、製造情報、在庫情報、資産情報、および種類にかかる情報を含む健康管理用端末装置製造管理情報を記憶する健康管理用端末装置提供情報管理コンピュータ装置と通信をする、健康管理用コンピュータ装置で使用される健康管理サービス方法であって、
前記登録・閲覧用端末装置から受信する前記健康管理用端末装置種類情報に基づいて、前記健康管理用端末装置提供情報管理コンピュータ装置へ、前記健康管理用端末装置の健康管理用端末装置製造管理情報を要求するステップと、
前記健康管理用端末装置提供情報管理コンピュータから健康管理用端末装置製造管理情報を取得するステップと、
取得した前記健康管理用端末装置製造管理情報に基づいて、前記健康管理対象者が使用する健康管理用端末装置を決定するステップと、
決定した前記健康管理用端末装置の固体情報と、前記登録・閲覧用端末装置から受信した前記健康管理対象者の個別情報とを、健康管理対象者情報として登録するステップと、
前記健康管理用端末装置へ送信する前記健康管理用端末装置の制御情報を生成するステップと、
前記健康管理用端末装置の固体情報と前記健康管理対象者の個別情報とからなる前記健康管理対象者情報に、前記健康管理用制御情報生成手段で生成した前記制御情報を関連付けて記憶するステップと、
決定した前記健康管理用端末装置を、前記健康管理対象者に対して手配するステップと、
前記健康管理用端末装置から送信される前記制御情報に従って動作した結果に係る情報を、前記制御情報および前記健康管理対象者情報とに関連付けて記憶するステップと、
決定した前記健康管理用端末装置の前記健康管理用端末装置製造管理情報に基づいて、前記健康管理用端末装置の購入、および／もしく前記健康管理対象者への発送を、前記健康管理用端末装置提供情報管理コンピュータ装置に要求するステップと
を有することを特徴とする、健康管理サービス提供者が所有する健康管理用コンピュータ装置に使用される健康管理サービス方法。
【請求項１６】
健康管理用コンピュータ装置から受信した制御情報に従って動作して、健康管理対象者の生体情報を収集する健康管理用端末装置、前記健康管理対象者の個別情報と前記健康管理対象者が使用する健康管理用端末装置の種類を示す健康管理用端末装置種類情報とを入力する登録・閲覧用端末装置、および前記健康管理用端末装置の固体情報、製造情報、在庫情報、資産情報、および種類にかかる情報を含む健康管理用端末装置製造管理情報を記憶する健康管理用端末装置提供情報管理コンピュータ装置と通信をし、前記健康管理対象者へ健康管理サービスを提供する機能を、コンピュータに実現させるためのプログラムであって、
前記登録・閲覧用端末装置から受信する前記健康管理用端末装置種類情報に基づいて、前記健康管理用端末装置提供情報管理コンピュータ装置へ、前記健康管理用端末装置の健康管理用端末装置製造管理情報を要求する機能と、
前記健康管理用端末装置提供情報管理コンピュータから健康管理用端末装置製造管理情報を取得する機能と、
取得した前記健康管理用端末装置製造管理情報に基づいて、前記健康管理対象者が使用する健康管理用端末装置を決定する機能と、
決定した前記健康管理用端末装置の固体情報と、前記登録・閲覧用端末装置から受信した前記健康管理対象者の個別情報とを、健康管理対象者情報として登録する機能と、
前記健康管理用端末装置へ送信する前記健康管理用端末装置の制御情報を生成する機能と、
前記健康管理用端末装置の固体情報と前記健康管理対象者の個別情報とからなる前記健康管理対象者情報に、前記健康管理用制御情報生成手段で生成した前記制御情報を関連付けて記憶する機能と、
決定した前記健康管理用端末装置を、前記健康管理対象者に対して手配する機能と、
前記健康管理用端末装置から送信される前記制御情報に従って動作した結果に係る情報を、前記制御情報および前記健康管理対象者情報とに関連付けて記憶する機能と、
決定した前記健康管理用端末装置の前記健康管理用端末装置製造管理情報に基づいて、前記健康管理用端末装置の購入、および／もしく前記健康管理対象者への発送を、前記健康管理用端末装置提供情報管理コンピュータ装置に要求する機能と
をコンピュータに実現させるためのプログラム。
【発明の詳細な説明】
【技術分野】
【０００１】
本発明は、健康管理対象者が所持・装着することによって生体情報を収集する健康管理端末装置とともに、これら複数の健康管理端末が収集した生体情報データを遠隔地からの通信によって収集・記憶し、記憶した生体情報を医療関係者が遠隔地から閲覧することで、健康管理対象者に有益な医療サービスを行うことが出来る健康管理サービスシステムを構築するために必要な要素を統括的に処理するシステムに関する。
【背景技術】
【０００２】
近年医療費の増大にともない、疾病の際の個人負担医療費も増大している中で、病気の予防への関心が社会的に高まっている。
【０００３】
このような中で、医療機関がまだ病気になっていない個人の日常的な予防診断などの健康管理ケアを行うことで、個人にとって病気を予防するための有益なサービスを提供するなどの健康管理サービス事業が考えられてきている。
【０００４】
このような健康管理サービス事業においては、個人の健康状態を示す指標となる生体情報（心拍数、血圧数、歩行数、睡眠時間など）を日常的に収集する携帯式の情報端末とともに、健康管理サービスへの加入者に対する情報端末装置の配布や管理方法や、収集した生体情報データを効率よく収集するための仕組みなどについての効率的なシステム処理が求められている。
【０００５】
このような、健康管理システムを提案したものとして、先願である次の出願特許文献１がある。この特許文献１では、主として健康管理対象者が所持する通信機能を装備したバイタル計測装置（生体情報端末装置）が収集した生体情報データを、通信によって管理サーバに収集し、関連する医療機関から閲覧可能に生体情報データの加工処理などを行い配信するといったシステムについて述べられている。
【特許文献１】特開２００２−３１２４８７
【発明の開示】
【発明が解決しようとする課題】
【０００６】
特許文献１に示される生体情報データの収集を行うバイタル計測装置と管理サーバによるシステムによって生体情報を処理する仕組みのみでは、実際に健康管理サービスを運営するシステムは構築できない。実際に健康管理サービスを運営するためのシステムは、健康管理サービスへの加入者（健康管理対象者）の登録によって始まり、加入者に対する必要な生体情報端末装置の準備（生体情報端末装置の発注、配送、加入者宅への設置、加入者に適した動作をするための制御情報の設定など）、準備をした生体情報端末装置と加入者個人との関連付け、関連付けた加入者個人と生体情報端末装置の情報に、更に、生体情報端末装置により収集した生体情報データを関連付けて記憶するためのデータベースの設定、などさまざまな処理を行う必要がある。
【０００７】
また、加入者の持つ生体情報端末装置が故障して交換する際などは、交換用の生体情報端末装置の準備や登録などのさまざまな処理が必要になる。
【０００８】
そこで、本発明の目的は、生体情報端末装置の準備、登録、設定といった、実運営に関する様々な処理を統括的に行うことの出来るシステム構成および手段を提供することにある。
【課題を解決するための手段】
【０００９】
上記のような課題を鑑みて、本発明は、健康管理対象者が所有する健康管理用端末装置と、健康管理対象者の健康管理サービスシステムへの登録や、登録状況の閲覧を行う登録・閲覧用端末装置と、健康管理用端末装置の製造や販売等を行う業者が所有する健康管理用端末装置提供情報管理コンピュータ装置と、健康管理サービスシステムを統括的に管理する健康管理用コンピュータ装置とからなる健康管理サービスシステムを提供する。
【００１０】
具体的には、健康管理用端末装置が、健康管理用コンピュータ装置から受信した制御情報に従って動作して、健康管理対象者の生体情報を収集する生体情報収集手段と、健康管理用コンピュータ装置から制御情報を受信し、生体情報収集手段が収集した生体情報を健康管理用コンピュータ装置へ送信するネットワーク通信手段とを有し、登録・閲覧用端末が、健康管理対象者の個別情報と、健康管理対象者が使用する健康管理用端末装置の種類を示す健康管理用端末装置種類情報とを入力する入力手段と、入力手段により入力された前記健康管理対象者の個別情報と前記健康管理用端末装置種類情報とを健康管理用コンピュータ装置へ送信するネットワーク通信手段とを有し、健康管理用端末装置提供情報管理コンピュータ装置が、健康管理用端末装置の固体情報、製造情報、在庫情報、および種類にかかる情報を含む健康管理用端末装置製造管理情報を記憶する健康管理用端末装置製造管理情報記憶手段と、健康管理用コンピュータ装置からの要求を受けて、健康管理用端末装置製造管理情報を健康管理用コンピュータ装置へ送信するネットワーク通信手段とを有し、健康管理用コンピュータ装置が、健康管理用端末装置、登録・閲覧用端末装置、および健康管理用端末装置提供情報管理コンピュータ装置とデータ通信を行うネットワーク通信手段と、登録・閲覧用端末装置から受信した健康管理用端末装置種類情報に基づいて、健康管理用端末装置提供情報管理コンピュータ装置へ、健康管理用端末装置の健康管理用端末装置製造管理情報を要求する健康管理用端末装置製造管理情報要求手段と、健康管理用端末装置提供情報管理コンピュータから健康管理用端末装置製造管理情報を取得する健康管理用端末装置製造管理情報取得手段と、健康管理用端末装置製造管理情報取得手段で取得した健康管理用端末装置製造管理情報に基づいて、健康管理対象者が使用する健康管理用端末装置を決定する健康管理用端末装置決定手段と、健康管理用端末装置決定手段で決定した健康管理用端末装置の固体情報と、登録・閲覧用端末装置から受信した健康管理対象者の個別情報とを、健康管理対象者情報として登録する健康管理対象者登録手段と、健康管理用端末装置へ送信する健康管理用端末装置の制御情報を生成する健康管理用端末装置制御情報生成手段と、健康管理用端末装置の固体情報と健康管理対象者の個別情報とからなる健康管理対象者情報に、健康管理用制御情報生成手段で生成した制御情報を関連付けて記憶する健康管理対象者情報記憶手段と、健康管理用端末装置決定手段で決定した健康管理用端末装置を、健康管理対象者に対して手配する健康管理用端末装置手配手段とを有し、特に健康管理対象者情報記憶手段が、健康管理用端末装置から送信される前記制御情報に従って動作した結果に係る情報を、制御情報および健康管理対象者情報とに関連付けて記憶し、健康管理用端末装置手配手段が、健康管理用端末装置決定手段で決定した健康管理用端末装置の健康管理用端末装置製造管理情報に基づいて、健康管理用端末装置の購入、および／もしく健康管理対象者への発送を、健康管理用端末装置提供情報管理コンピュータ装置に要求する、健康管理サービスシステムを提供する。
【００１１】
これにより、健康管理対象者の個別情報と必要な健康管理用端末装置の種類情報を登録するという１回の手続きのみで、健康管理対象者の本健康管理サービスステムへの登録、健康管理対象者用の健康管理用端末装置の制御情報の生成、健康管理用端末装置の購入と健康管理対象者への手配、等を全て統括的に実施することが可能である。
【００１２】
また本発明における健康管理用コンピュータ装置の健康管理用端末装置決定手段は、健康管理用端末装置製造管理情報に含まれる資産情報により、健康管理サービス提供者の資産である健康管理用端末装置が存在すると判明した場合、当該健康管理用端末装置を健康管理対象者が使用する健康管理用端末装置に決定するものとする。
【００１３】
また本発明における健康管理用コンピュータ装置の健康管理用端末装置決定手段は、健康管理用端末装置製造管理情報に含まれる資産情報により、健康管理サービス提供者の資産である健康管理用端末装置が存在しないと判明した場合で、且つ、健康管理用端末装置製造管理情報に含まれる在庫情報により、健康管理用端末装置の在庫が存在すると判明した場合、当該健康管理用端末装置を健康管理対象者が使用する健康管理用端末装置に決定するものとする。
【００１４】
また本発明における健康管理用コンピュータ装置の健康管理用端末装置決定手段は、健康管理用端末装置製造管理情報に含まれる資産情報により、健康管理サービス提供者の資産である健康管理用端末装置が存在しないと判明した場合で、且つ、健康管理用端末装置製造管理情報に含まれる在庫情報により、健康管理用端末装置の在庫が存在しないと判明した場合で、且つ、健康管理用端末装置製造管理情報に含まれる製造情報ににより、健康管理用端末装置の製造予定があると判明した場合、当該健康管理用端末装置を健康管理対象者が使用する健康管理用端末装置に決定するものとする。
【００１５】
これにより、健康管理対象者へ手配する健康管理用端末装置を、速やかに決定し手配することが可能となる。
【００１６】
また本発明における健康管理用コンピュータ装置はさらに、健康管理対象者情報記憶手段に記憶された情報を変更する健康管理用端末装置交換処理手段を有し、健康管理用コンピュータ装置は、登録・閲覧用端末装置から健康管理用端末装置を別の健康管理用端末装置と交換する要求を受けた場合、健康管理用端末装置製造管理情報要求手段が別の健康管理用端末装置にかかる情報を健康管理用端末装置提供情報管理コンピュータ装置へ要求し、健康管理用端末装置製造管理情報取得手段が健康管理用端末装置提供情報管理コンピュータ装置から別の健康管理用端末装置の健康管理用端末装置製造管理情報を取得し、健康管理用端末装置決定手段が別の健康管理用端末装置の健康管理用端末装置製造管理情報に基づいて、健康管理対象者が使用する別の健康管理用端末装置を決定し、健康管理用端末装置交換処理手段が健康管理対象者情報記憶手段に記憶された健康管理用端末装置の固体情報を、健康管理用端末装置決定手段が決定した別の健康管理用端末装置の固体情報に変更するものとする。
【００１７】
またその際、健康管理用コンピュータ装置の健康管理用端末装置交換処理手段は、健康管理用端末装置決定手段が決定した別の健康管理用端末装置のための制御情報を、健康管理対象者が所有する健康管理用端末装置の前記制御情報と同一にするものとする。
【００１８】
またその際、健康管理用コンピュータ装置の健康管理用端末装置手配手段は、健康管理用端末装置決定手段が決定した別の健康管理用端末装置と、健康管理対象者が現在所有する健康管理用端末装置との交換処理を、健康管理用端末装置提供情報管理コンピュータ装置に要求するものとする。
【００１９】
これにより、健康管理対象者が使用すべき健康管理用端末装置の交換作業を、速やかに実行し、手配することが可能となる。また、健康管理用端末装置の交換前後で、装置の制御情報の再設定等の必要が無く、健康管理対象者に対して本発明の健康管理サービスをシームレスに提供することが可能となる。
【発明の効果】
【００２０】
本発明によると、登録・閲覧用端末装置において本健康管理サービスシステムの加入者である健康管理対象者を登録し、その際、健康管理対象者が必要とする健康管理端末装置の選択や変更を行うのみで、健康管理サービスを運営するために必要な処理である、生体情報端末装置の準備、登録、設定といった複雑な処理を、統括的に且つ効率よく行うことが出来る。
【００２１】
すなわち、登録・閲覧用端末装置を所有するもしくは使用する業者は、健康管理サービスシステムの運営にかかる処理に関する知識や必要作業に関して、全く無知であっても、本健康管理サービスシステムを運営することが出来る。
【発明を実施するための最良の形態】
【００２２】
【実施例１】
【００２３】
図１は、本発明の健康管理サービスシステムの構成を表す図である。本発明の健康管理サービスシステムは、健康管理サービスシステム全体を管理する健康管理用コンピュータ装置１と、健康管理対象者に手配され、使用され、健康管理対象者の生体情報を収集する健康管理用端末装置３と、実際に健康管理用端末装置３を健康管理対象者へ手配する処理を行う業者等が所有する健康管理用端末装置提供情報管理コンピュータ装置２と、医療機関等に設置され、健康管理対象者及びその健康管理対象者へ手配する健康管理用端末装置３を登録する登録・閲覧用端末装置５と、これらを接続する通信網４とから構成される。
【００２４】
図２は、健康管理用コンピュータ装置１の構成を示すブロック図である。１−１は、他の端末装置等と通信をするためのネットワーク通信手段である。１−２は、ネットワーク手段を介して情報の配信や取得を行う、ウェブサービスにあたる情報配信・取得手段である。１−４は、健康管理用端末装置３の固体情報と健康管理対象者の個別情報とからなる健康管理対象者情報と、健康管理用端末装置３の制御情報を関連付けて記憶した健康管理対象者情報記憶手段である。１−１２は、ディスプレイなどの表示手段である。１−１３は、キーボードやマウス等の入力手段である。１−１１は、様々な情報の記憶の他、処理等で使用する作業領域などが含まれるＲＡＭである。１−１５は、健康管理用コンピュータ装置１を制御するＣＰＵである。
【００２５】
１−１４は、各種プログラム等が予め記憶されたＲＯＭであり、本発明の健康管理用端末装置製造管理情報要求手段１−９、健康管理用端末装置製造管理情報取得手段１−７、健康管理用端末装置決定手段１−１０、健康管理対象者登録手段１−６、健康管理用端末装置制御情報生成手段１−５、健康管理用端末装置手配手段１−８、健康管理用端末装置交換処理手段１−３といった手段が有する機能を実現するためのプログラムが記憶されている。
【００２６】
図３は、健康管理用端末装置提供情報管理コンピュータ装置２の構成を示すブロック図である。２−１は、他の端末装置等と通信をするためのネットワーク通信手段である。２−２は、ネットワーク手段を介して情報の配信や取得を行う、ウェブサービスにあたる情報配信・取得手段である。２−８は、ディスプレイなどの表示手段である。２−９は、キーボードやマウス等の入力手段である。２−１０は、各種プログラム等が予め記憶されたＲＯＭである。２−１１は、様々な情報の記憶の他、処理等で使用する作業領域などが含まれるＲＡＭである。２−１２は、健康管理用端末装置提供情報管理コンピュータ装置２を制御するＣＰＵである。
【００２７】
２−４は、健康管理対象者へ手配する健康管理用端末装置３に係る情報を記憶する手段、すなわち健康管理用端末装置製造管理情報記憶手段であり、その中には健康管理用端末装置製造情報２−５、健康管理用端末装置在庫情報２−６、健康管理用端末装置資産情報２−７が記憶されている。これらの情報は、健康管理用コンピュータ装置１によりアクセス可能な情報である。各情報の詳細は後述する。
【００２８】
図４は、健康管理用端末装置３の構成を示すブロック図である。３−１は、主に健康管理用コンピュータ装置１と情報のやり取りを行うためのネットワーク通信手段である。３−５はディスプレイなどの表示手段である。３−７は、キーボードやマウス等の入力手段である。３−６は、健康管理対象者の生体情報を検出し、収集する生体情報収集手段である。３−４は、生体情報収集手段３−６により収集した生体情報の記憶の他、処理等で使用する作業領域などが含まれる記憶手段である。３−３は、健康管理用コンピュータ装置１により生成され、送信された制御情報である制御プログラムであり、記憶手段３−４の一部に格納されている。３−８は、各種プログラム等が予め記憶されたＲＯＭである。３−２は、健康管理用端末装置提供情報管理コンピュータ装置２を制御するＣＰＵである。
【００２９】
図５は、登録・閲覧用端末装置５の構成を示すブロック図である。５−１は、他の端末装置等と通信をするためのネットワーク通信手段である。５−２は、ネットワーク手段を介して情報の配信や取得を行う、ウェブサービスにあたる情報配信・取得手段である。５−６は、ディスプレイなどの表示手段である。５−３は、キーボードやマウス等の入力手段である。５−４は、各種プログラム等が予め記憶されたＲＯＭである。５−５は、様々な情報の記憶の他、処理等で使用する作業領域などが含まれるＲＡＭである。５−７は、健康管理用端末装置提供情報管理コンピュータ装置２を制御するＣＰＵである。
【００３０】
尚、通信網４は、本発明の健康管理サービスシステムの各構成要素（１、２、３、５）の間を通信によって接続するための通信網であり、遠隔地の各構成要素を接続することから、一般的にインターネットを利用する手段が考えられる。
【００３１】
また、各構成要素から通信網４への接続方法の具体的な手段として、特に有線通信や無線通信の指定をする必要は無く、また接続の際に必要なネットワーク通信機器や有線無線コンバータ装置などは、必要に応じてこれら構成要素に加えられるものとする。
【００３２】
次に、本発明による、登録・閲覧用端末装置５を用いて健康管理対象者の登録から健康管理対象者へ健康管理用端末装置３を手配するまでの一連の動作を、図６を用いて説明する。
【００３３】
まず健康管理用コンピュータ装置１は、健康管理対象者情報登録手段１−６を情報配信・取得手段１−２およびネットワーク通信手段１−１を介して通信網４に公開し、通信網を介して遠隔地に設置されている登録・閲覧用端末装置５から通信接続状態になる。
【００３４】
この状態において登録・閲覧用端末装置５は、通信網４を介した通信によって健康管理用コンピュータ装置１に接続を行い、健康管理サービスに加入する健康管理対象者の個別情報（住所、氏名、病歴、かかりつけ病院、投薬状況、システムへの支払い方法、等の個人情報）と、健康管理用端末装置３の種類に係る情報（健康管理用端末装置種類情報）を健康管理用コンピュータ装置１に送信することで、当該健康管理対象者１の登録を依頼する（Ｓ１）。健康管理用コンピュータ装置１は、この依頼を受けて（Ｓ２）、健康管理対象者情報登録手段１−６を利用して、健康管理サービスに加入する健康管理対象者の個別情報と健康管理用端末装置種類情報を登録し、健康管理対象者情報記憶手段にそれらの情報を記憶する（Ｓ３）。
【００３５】
次に健康管理用コンピュータ装置１は、登録された健康管理対象者に対し、指定された種類の健康管理用端末装置３を使用出来るようにするため、健康管理用端末装置管理情報要求手段１−９を使用し、情報配信・取得手段１−２、およびネットワーク通信手段１−１を経由し、通信網４を介して健康管理用端末装置種類情報等を送信し、健康管理用端末装置提供情報管理コンピュータ装置２に対して健康管理用端末装置製造情報の問い合わせを行う（Ｓ４）。
【００３６】
健康管理用端末装置提供情報管理コンピュータ装置２は、この問い合わせを受けて（Ｓ５）、健康管理用コンピュータ装置１に対して、健康管理用端末装置製造情報記憶手段２−４に記憶されている健康管理用端末装置製造情報２−５と健康管理用端末装置在庫情報２−６と健康管理用端末装置資産情報２−７にて構成された健康管理用端末製造情報を情報配信・取得手段２−２およびネットワーク通信手段２−１を介して通信網４に公開する（Ｓ６）。これにより健康管理用コンピュータ装置１は、通信網を介して健康管理用端末装置提供情報管理コンピュータ装置２と通信接続状態になる。そして健康管理用端末装置管理情報取得手段１−７により、健康管理用端末製造情報の取得が可能になる（Ｓ７）。
【００３７】
尚、本発明における「健康管理用端末装置管理情報取得手段１−７により、健康管理用端末製造情報の取得が可能になる」とは、健康管理用端末装置提供情報管理コンピュータ装置２から健康管理用端末製造情報を受信するという意味、もしくは健康管理用端末装置提供情報管理コンピュータ装置２の健康管理用端末製造情報に取得可能にアクセスするという意味のどちらでもよい。本実施例では、後者の意味を用いて説明を進める。
【００３８】
また健康管理用端末装置提供情報管理コンピュータ装置２は、本発明の健康管理サービスシステムに関連する健康管理用端末装置３の製造／在庫／資産を管理する業務を行う機関が取り扱うものである。健康管理用端末装置製造情報記憶手段２−４の内容を図１１を用いて説明する。
【００３９】
健康管理用端末装置製造情報２−５は、健康管理用端末装置３の種類情報や固体情報（型番、製造年月日、製造元、等）の他、健康管理用端末装置３の製造予定や納期等、まだ製造されていない健康管理用端末装置３に関する情報（製造予定情報）を集約したものとする。
【００４０】
健康管理用端末装置在庫情報２−６は、健康管理用端末装置３の種類情報や固体情報（型番、製造年月日、製造元、等）の他、健康管理用端末装置３の販売可能な在庫製品に関する情報（在庫情報）を集約したものとする。
【００４１】
健康管理用端末装置資産情報２−７は、健康管理用端末装置３の種類情報や固体情報（型番、製造年月日、製造元、等）の他、本発明の健康管理サービスシステムによって健康管理サービスを提供する業務を行う機関が既に所有している健康管理用端末装置３の管理情報（資産情報）を集約したものとする。
【００４２】
図６の説明に戻ると、健康管理用コンピュータ装置１は、健康管理用端末装置決定手段１−１０により、健康管理用端末装置管理情報取得手段１−７で取得した健康管理用端末装置製造情報２−５と健康管理用端末装置在庫情報２−６と健康管理用端末装置資産情報２−７にて構成された健康管理用端末製造情報に関して、登録を希望する健康管理用端末装置３の健康管理用端末装置種類情報を用いて、登録を希望する健康管理用端末装置３に係る情報が存在するか否かの検査を行う（Ｓ８）。この検査の一連の動作を図７を用いて説明する。
【００４３】
健康管理用端末装置決定手段１−１０は、先ず健康管理用端末装置資産情報２−７の内容を検査する（Ｓ２１）。そして、健康管理用端末装置資産情報２−７の内容を検査した結果、健康管理対象者に使用することが出来る健康管理用端末装置３が資産として存在する場合は、その健康管理用端末装置３の固体情報および資産情報を取得する（Ｓ２４）。
【００４４】
また、健康管理用端末装置資産情報２−７の内容を検査した結果、健康管理対象者に使用することが出来る健康管理用端末装置３が存在しない場合は、次に健康管理用端末装置製造情報の内容のうち、健康管理用端末装置在庫情報２−６を検査する（Ｓ２２）。そして、健康管理用端末装置在庫情報２−６の内容を検査した結果、健康管理対象者に使用することが出来る健康管理用端末装置３が在庫として存在する場合は、その健康管理用端末装置の固体情報および在庫情報を取得する（Ｓ２５）。
【００４５】
また、健康管理用端末装置在庫情報２−６の内容を検査した結果、健康管理対象者に使用することが出来る健康管理用端末装置３が存在しない場合は、次に健康管理用端末装置製造情報の内容のうち、健康管理用端末装置製造情報２−５を検査する（Ｓ２３）。そして、健康管理用端末装置製造情報２−５の内容を検査した結果、健康管理対象者に使用することが出来る健康管理用端末装置３が製造予定端末装置として存在する場合は、その健康管理用端末装置３の固体情報および製造予定情報を取得し（Ｓ２６）、製造予定端末装置として存在しない場合は、健康管理用端末装置３の製造を依頼する（Ｓ２７）。
【００４６】
図６の説明に戻ると、健康管理用コンピュータ装置１は、健康管理用端末装置決定手段１−１０のこれらの動作によって取得べき健康管理用端末装置３を決定する（Ｓ９）。そして、健康管理用端末装置手配手段１−８の機能を利用し、健康管理対象者の個別情報と、登録した健康管理用端末装置３の固体情報とを含む手配情報を、健康管理用端末装置提供情報管理コンピュータ装置２に送信して、健康管理用端末装置３を健康管理対象者に提供するための手配を行う（Ｓ１０）。
【００４７】
健康管理用端末装置提供情報管理コンピュータ装置２は、この手配情報を受信し（Ｓ１１）、健康管理用端末装置３を健康管理対象者に対して手配する（Ｓ１２）。この時、Ｓ７の検査において、手配する健康管理用端末装置３が資産に関するものであった場合、配送手続きに関する処理を行い、在庫または製造予定に関するものであれば、それぞれに記憶されている価格情報に従った購入手続きに関する処理と、配送手続きに関する処理を行う。
【００４８】
次に健康管理用コンピュータ装置１は、登録・閲覧用端末装置５に対し、決定した健康管理用端末装置３の固体情報と、その健康管理用端末装置３の状況を示す情報である製造予定情報、在庫情報、もしくは資産情報とを登録状況情報として送信し、健康管理用端末装置３の決定作業が済んだことを通知する（Ｓ１３）。
【００４９】
登録・閲覧用端末装置５は、健康管理用コンピュータ装置１から決定状況情報を受信し（Ｓ１４）、それを表示手段５−６で表示して通知する（Ｓ１５）。そして次に、健康管理用端末装置３の制御情報の生成作業に入る。
【００５０】
制御情報の生成の実作業は、健康管理用コンピュータ装置１により行うため、登録・閲覧用端末装置５は、制御情報に盛り込むべき各種条件等を決定し、制御情報作成依頼として健康管理用コンピュータ装置１へ送信する（Ｓ１６）。
【００５１】
健康管理用コンピュータ装置１は制御情報作成依頼を受信し（Ｓ１７）、制御情報作成依頼の内容を基に、健康管理用端末装置制御情報生成手段１−５の機能を利用して、登録した健康管理対象者が使用する健康管理用端末装置のための制御情報を生成する（Ｓ１８）。そして、生成された制御情報を、先に決定した健康管理用端末装置の固体情報と健康管理対象者の個別情報とに関連付けて、健康管理対象者登録手段１−６により、健康管理対象者情報記憶手段１−４に記憶し、登録する（Ｓ１９）。
【００５２】
これまでの動作によって健康管理用コンピュータ装置１は、健康管理対象者登録手段１−６により、健康管理対象者情報記憶手段１−４に対して、前述の健康管理対象者の個別情報と、健康管理用端末装置３の固体情報と、健康管理用端末装置３の制御情報を全て関連付けて記憶している状態となる。
【００５３】
次に、健康管理用端末装置３による、健康管理用コンピュータ装置１で生成された制御情報の取得および制御情報に基づく動作結果の健康管理用コンピュータ装置１への返送と、健康管理用コンピュータ装置１による、生体情報の記憶、加工までの動作の流れを、図８を用いて説明する。
【００５４】
健康管理用端末装置３は、前述の健康管理用コンピュータ装置１、および健康管理用端末装置提供情報管理コンピュータ装置２、および閲覧・登録用端末装置５の一連の処理によって、健康管理用コンピュータ装置１の構成要素である健康管理対象者情報記憶手段に登録された健康管理用端末装置である。
【００５５】
健康管理用コンピュータ装置１は、健康管理対象者情報記憶手段１−４に記憶された情報を、情報配信・取得手段１−２およびネットワーク通信手段１−１を介して通信網４に公開し、通信網を介して遠隔地に設置されている健康管理用端末装置３から通信接続できる状態になっている。そして健康管理用端末装置３は、演算処理手段３−２およびＲＯＭ３−８に格納されたプログラムの作用によって、ネットワーク通信手段３−１を経由して通信網４への接続を行うことが出来る。
【００５６】
先ず、健康管理用端末装置３は、通信網４を介して健康管理用コンピュータ装置１に接続を行う。そして健康管理用コンピュータ装置１が健康管理用端末装置３へ健康管理用端末装置制御情報を送信し（Ｓ３１）、健康管理用端末装置３がそれを取得する（Ｓ３２）。そして健康管理用端末装置３は、取得した健康管理用端末装置制御情報を記憶手段３−４に記憶し（Ｓ３３）、演算処理手段３−２および制御プログラム３−３の作用によって健康管理端末装置制御情報の内容に従った動作を実行する（Ｓ３４）。
【００５７】
ここで制御情報としては、例えば図９のように、実行動作に付与された番号と、実行時刻と、実行内容と、取得すべき実行結果とを規定したスケジュールテーブルのようなものを想定している。図９によると、例えば１０：００に脈拍数の測定を行い、測定成功ならば脈拍数データを、測定失敗ならばＮＧデータを、実行結果情報として健康管理用コンピュータ装置１送信するよう、健康管理用端末装置３を制御する情報となっている。これは生体情報収集手段３−６に関する制御の例であるが、表示手段３−５や入力手段３−７に関する制御もありうる。例えば図９の１３：００の通知「薬を飲んでください」は、表示手段３−５による通知の後、健康管理対象者による通知を確認したか否かを示すデータ入力（入力手段３−７による確認操作等）を待つ、という制御情報である。
【００５８】
健康管理用端末装置３は、上述のように制御情報を従って動作した結果を記憶手段３−４に記憶し（Ｓ３５）、記憶した実行結果情報をネットワーク通信によって健康管理用コンピュータ装置１に送信する（Ｓ３６）。
【００５９】
健康管理用コンピュータ装置１は、ネットワーク通信によって遠隔地の健康管理用端末装置３から実行結果情報を取得し（Ｓ３７）、実行結果情報に含まれる健康管理対象者の生体情報を健康管理対象者情報記憶手段１−４に記憶する（Ｓ３８）。この際、既に記憶されている健康管理対象者の個別情報と、健康管理用端末装置３の固体情報と、健康管理用端末装置３の制御情報とに関連付けて、健康管理対象者の生体情報を記憶する。これにより、登録・閲覧用端末装置５など、アクセスの許された端末装置から、健康管理対象者の個別情報や、健康管理用端末装置３の固体情報を基に生体情報の閲覧が可能になる。
【００６０】
健康管理用コンピュータ装置１は、健康管理対象者情報記憶手段１−４に記憶されている健康管理対象者の生体情報を、遠隔地の登録・閲覧用端末装置５から理解しやすく閲覧できるように、生体情報をグラフ表示データやリスト表示データなどへの加工を行う（Ｓ３９）。
【００６１】
これまでの動作によって、健康管理用端末装置３は、健康管理対象者自らが健康管理用端末装置を操作することなく、制御情報の設定がなされる。また、健康管理用コンピュータ装置１は、健康管理対象者の個別情報と、健康管理用端末装置の固体情報と、健康管理用端末装置の制御情報と、実際に収集された生体情報とを全て関連付けて記憶している状態となる。
【００６２】
以上、本発明の実施例１により、健康管理サービスシステムの加入者である健康管理対象者を登録し、健康管理対象者が必要とする健康管理端末装置を選択や変更を行うのみで、健康管理サービスを運営するために必要な処理である、生体情報端末装置の準備、登録、設定といった複雑な処理を、統括的に且つ効率よく行うことが出来る。例えば、本発明の健康管理サービスシステムに加入している健康管理対象者の健康管理を担当する医療関係者など、健康管理サービスの運営業務に関係ない者が、登録・閲覧端末装置５からネットワーク通信を介して健康管理用コンピュータ装置１をアクセスし、健康管理対象者を登録し、健康管理用端末装置３の準備、登録、設定し、健康管理対象者の生体情報データを閲覧し、健康管理対象者の健康状態を判断し、健康管理対象者に対して有益な医療関連情報を提供することが可能となる。
【実施例２】
【００６３】
次に本発明の実施例２として、本発明の健康管理サービスシステムによって運営中、健康管理対象者が所持している健康管理用端末装置３が故障し交換が必要な状況になった際、登録・閲覧用端末装置５からネットワーク通信を介して健康管理用コンピュータ装置１へ接続を行い、健康管理用コンピュータ装置１の健康管理用端末交換処理手段１−３の機能を利用して、健康管理対象者のもつ健康管理用端末装置３の交換処理を行う動作について、図１０を用いて説明する。
【００６４】
尚、健康管理用コンピュータ装置１、健康管理用端末装置提供情報管理コンピュータ装置２、健康管理用端末装置３、登録・閲覧用端末装置５が有する各種手段は、実施例１で使用したものと同様であるため、説明を割愛する。
【００６５】
まず、登録・閲覧用端末装置５により健康管理用端末装置３の交換を旨とする登録変更を要求する情報（健康管理対象者の個別情報、故障した健康管理用端末装置３の固体情報、種類情報等）が入力され（Ｓ４１）、健康管理用コンピュータ装置１にその情報が送信される（Ｓ４２）。
【００６６】
健康管理用コンピュータ装置１は、交換を旨とする登録変更を要求する情報を認識して、健康管理用コンピュータ装置１の健康管理用端末装置管理情報要求手段１−９の機能を利用し、情報配信・取得手段１−２、およびネットワーク通信手段１−１を経由し、通信網４を介して健康管理用端末装置提供情報管理コンピュータ装置２に対し、故障した健康管理用端末装置３と同一種類の装置に係る健康管理用端末装置製造情報の問い合わせを行う（Ｓ４３）。
【００６７】
健康管理用端末装置提供情報管理コンピュータ装置２は、健康管理用コンピュータ装置１からの問い合わせを受信し（Ｓ４４）、健康管理用コンピュータ装置１と通信網を介して接続し健康管理用端末製造情報を公開する（Ｓ４５）。これにより健康管理用コンピュータ装置１は、健康管理用端末装置管理情報取得手段１−７により、健康管理用端末製造情報の取得が可能になる（Ｓ４６）。
【００６８】
健康管理用コンピュータ装置１は、健康管理用端末装置決定手段１−１０により、実施例１の場合と同様の手法を用いてこの製造情報を検査し（Ｓ４７）、交換用の健康管理用端末装置３として登録すべき健康管理用端末装置３を決定し、その固体情報を取得する（Ｓ４８）。そして決定した交換用の健康管理用端末装置３の健康管理対象者への手配を、健康管理用端末装置手配手段１−８により健康管理用端末装置提供情報管理コンピュータ装置２に依頼する（Ｓ４９）。
【００６９】
健康管理用端末装置提供情報管理コンピュータ装置２は、この手配の依頼を受信し（Ｓ５０）、新しく決定された交換用の健康管理用端末装置３の手配を行う（Ｓ５１）。この際、故障した健康管理用端末装置３の引き取りを同時に行うようにしてもよい。
【００７０】
次に健康管理用コンピュータ装置１は、健康管理用端末交換処理手段１−３の機能を利用し、健康管理対象者が交換用の健康管理用端末装置３を使用出来るように、健康管理対象者情報記憶手段１−４に記録されている故障した健康管理用端末装置の固体情報を削除し、取得した交換用の健康管理用端末装置の固体情報と、健康管理対象者の個別情報についての関連付け登録を行う（Ｓ５２）。この時、健康管理用端末交換処理手段１−３は、故障した健康管理用端末装置に設定されていた健康管理用端末装置制御情報を、交換用の健康管理用端末装置３に対してコピーまたは移動することで、故障した健康管理用端末装置３がそれまで動作していた状態と同じように交換用の健康管理用端末装置３が動作するよう設定変更を行う。
【００７１】
次に健康管理用コンピュータ装置１は、健康管理用端末装置３の交換に係る処理が全てが完了したことを受けて、登録・閲覧用端末装置５へ交換処理完了を示す交換状況の情報を通知する（Ｓ５３）。登録・閲覧用端末装置５は交換状況に係る情報を受けて（Ｓ５４）、この情報を表示手段５−６で表示して通知する（Ｓ５５）。
【００７２】
以上、本発明の実施例２により、健康管理対象者が所持している健康管理用端末装置が故障し交換が必要な状況になった場合にも、交換用の生体情報端末装置の準備、登録、設定といった複雑な処理を、統括的に且つ効率よく行うことが出来る。
【００７３】
尚、本発明は、上記実施例１および２における健康管理用コンピュータ１の機能を実現するソフトウェアのプログラムコードを記憶した記憶媒体を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。
【００７４】
この場合、記憶媒体から読み出されたプログラムコード自体が本発明の新規な機能を実現することになり、そのプログラムコードを記憶した記憶媒体は本発明を構成することになる。プログラムコードを供給するための記憶媒体等の媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ、或いはネットワークを介したダウンロードなどを用いることができる。
【００７５】
また本発明は、上述のプログラムコードを記録した記憶媒体からそのプログラムをパソコン通信など通信ラインを介して要求者にそのプログラムを配信する場合にも適用できることはいうまでもない。
【図面の簡単な説明】
【００７６】
【図１】本発明の健康管理サービスシステムの構成を表す図である。
【図２】健康管理用コンピュータ装置１の構成を示すブロック図である。
【図３】健康管理用端末装置提供情報管理コンピュータ装置２の構成を示すブロック図である。
【図４】健康管理用端末装置３の構成を示すブロック図である。
【図５】登録・閲覧用端末装置５の構成を示すブロック図である。
【図６】健康管理対象者の登録から健康管理対象者へ健康管理用端末装置３を手配するまでの動作を示す図である。
【図７】健康管理用コンピュータ装置１が、健康管理用端末製造情報内に、登録を希望する健康管理用端末装置３に係る情報が存在するか否かの検査を行う動作を示す図である。
【図８】健康管理用端末装置３による制御情報の取得から、健康管理用コンピュータ装置１による生体情報の加工までの動作を示す図である。
【図９】制御情報の一例を示す図である。
【図１０】健康管理用端末装置３が故障し、健康管理用コンピュータ装置１において交換処理を行う動作を示す図である。
【図１１】健康管理用端末装置製造情報記憶手段２−４の内容を示す図である。
【符号の説明】
【００７７】
１  健康管理用コンピュータ装置
２  健康管理用端末装置提供情報管理コンピュータ装置
３  健康管理用端末装置
４  通信網
５  登録・閲覧用端末装置
【図１】
2006227800.tif 000003
【図２】
2006227800.tif 000004
【図３】
2006227800.tif 000005
【図４】
2006227800.tif 000006
【図５】
2006227800.tif 000007
【図６】
2006227800.tif 000008
【図７】
2006227800.tif 000009
【図８】
2006227800.tif 000010
【図９】
2006227800.tif 000011
【図１０】
2006227800.tif 000012
【図１１】
2006227800.tif 000013